(57)【特許請求の範囲】
【請求項１】
物体側から順に、負のパワーを持つ第１レンズ、正のパワーを持つ第２レンズ、負のパワーを持つ第３レンズ、正のパワーを持つ第４レンズ、正のパワーを持つ第５レンズおよび負のパワーを持つ第６レンズからなり、
前記第６レンズの材質のｄ線に対するアッベ数が３０以下であり、
下記条件式を満足することを特徴とする撮像レンズ。
１．３５＜（Ｒ３Ｆ＋Ｒ３Ｒ）／（Ｒ３Ｆ−Ｒ３Ｒ）＜６．０  …  （１）
νｄ３＜３０．０  …  （２）
ただし、
Ｒ３Ｆ：前記第３レンズの物体側の面の曲率半径
Ｒ３Ｒ：前記第３レンズの像側の面の曲率半径
νｄ３：前記第３レンズの材質のｄ線に対するアッベ数
【請求項２】
物体側から順に、負のパワーを持つ第１レンズ、正のパワーを持つ第２レンズ、負のパワーを持つ第３レンズ、正のパワーを持つ第４レンズ、正のパワーを持つ第５レンズおよび負のパワーを持つ第６レンズからなり、
前記第６レンズの材質のｄ線に対するアッベ数が３０以下であり、
下記条件式を満足することを特徴とする撮像レンズ。
１．３５＜（Ｒ３Ｆ＋Ｒ３Ｒ）／（Ｒ３Ｆ−Ｒ３Ｒ）＜２．２０  …  （１−１）
ただし、
Ｒ３Ｆ：前記第３レンズの物体側の面の曲率半径
Ｒ３Ｒ：前記第３レンズの像側の面の曲率半径
【請求項３】
物体側から順に、負のパワーを持つ第１レンズ、正のパワーを持つ第２レンズ、負のパワーを持つ第３レンズ、正のパワーを持つ第４レンズ、正のパワーを持つ第５レンズおよび負のパワーを持つ第６レンズからなり、下記条件式を満足することを特徴とする撮像レンズ。
νｄ３＜２０．０  …  （２−２）
ｆ３／ｆ＜−１．４  …  （３）
ただし、
νｄ３：前記第３レンズの材質のｄ線に対するアッベ数
ｆ３：前記第３レンズの焦点距離
ｆ：全系の焦点距離
【請求項４】
下記条件式を満足する請求項１から３のいずれか１項記載の撮像レンズ。
１．０＜ｆ２／ｆ  …  （４）
ただし、
ｆ２：前記第２レンズの焦点距離
ｆ：全系の焦点距離
【請求項５】
下記条件式を満足する請求項１から４のいずれか１項記載の撮像レンズ。
１．０＜ｆ４／ｆ  …  （５）
ただし、
ｆ４：前記第４レンズの焦点距離
ｆ：全系の焦点距離
【請求項６】
下記条件式を満足する請求項１から５のいずれか１項記載の撮像レンズ。
０．１５＜νｄ４／νｄ５＜３．０  …  （６）
ただし、
νｄ４：前記第４レンズの材質のｄ線に対するアッベ数
νｄ５：前記第５レンズの材質のｄ線に対するアッベ数
【請求項７】
レンズ系のうち正のパワーを持つレンズに、屈折率の温度係数ｄｎ／ｄｔが負の値となる材質を使用した請求項１から６のいずれか１項記載の撮像レンズ。
【請求項８】
下記条件式を満足する請求項１から７のいずれか１項記載の撮像レンズ。
１．５＜ｆ３４／ｆ＜５．０  …  （７）
ただし、
ｆ３４：前記第３レンズおよび前記第４レンズの合成焦点距離
ｆ：全系の焦点距離
【請求項９】
下記条件式を満足する請求項１から８のいずれか１項記載の撮像レンズ。
０．３＜νｄ１／νｄ２＜２．５  …  （８）
ただし、
νｄ１：前記第１レンズの材質のｄ線に対するアッベ数
νｄ２：前記第２レンズの材質のｄ線に対するアッベ数
【請求項１０】
さらに下記条件式を満足する請求項１記載の撮像レンズ。
１．３５＜（Ｒ３Ｆ＋Ｒ３Ｒ）／（Ｒ３Ｆ−Ｒ３Ｒ）＜３．３  …  （１−２）
ただし、
Ｒ３Ｆ：前記第３レンズの物体側の面の曲率半径
Ｒ３Ｒ：前記第３レンズの像側の面の曲率半径
【請求項１１】
さらに下記条件式を満足する請求項１または２記載の撮像レンズ。
１．４＜（Ｒ３Ｆ＋Ｒ３Ｒ）／（Ｒ３Ｆ−Ｒ３Ｒ）＜２．２０  …  （１−３）
ただし、
Ｒ３Ｆ：前記第３レンズの物体側の面の曲率半径
Ｒ３Ｒ：前記第３レンズの像側の面の曲率半径
【請求項１２】
さらに下記条件式を満足する請求項１記載の撮像レンズ。
νｄ３＜２０．０  …  （２−２）
ただし、
νｄ３：前記第３レンズの材質のｄ線に対するアッベ数
【請求項１３】
さらに下記条件式を満足する請求項３記載の撮像レンズ。
−５＜ｆ３／ｆ＜−１．６  …  （３−４）
ただし、
ｆ３：前記第３レンズの焦点距離
ｆ：全系の焦点距離
【請求項１４】
さらに下記条件式を満足する請求項４記載の撮像レンズ。
１．１＜ｆ２／ｆ＜６．０  …  （４−２）
ただし、
ｆ２：前記第２レンズの焦点距離
ｆ：全系の焦点距離
【請求項１５】
さらに下記条件式を満足する請求項５記載の撮像レンズ。
１．１＜ｆ４／ｆ＜５．０  …  （５−２）
ただし、
ｆ４：前記第４レンズの焦点距離
ｆ：全系の焦点距離
【請求項１６】
さらに下記条件式を満足する請求項８記載の撮像レンズ。
１．７＜ｆ３４／ｆ＜４．７  …  （７−１）
ただし、
ｆ３４：前記第３レンズおよび前記第４レンズの合成焦点距離
ｆ：全系の焦点距離
【請求項１７】
さらに下記条件式を満足する請求項８記載の撮像レンズ。
１．８＜ｆ３４／ｆ＜３．９  …  （７−３）
ただし、
ｆ３４：前記第３レンズおよび前記第４レンズの合成焦点距離
ｆ：全系の焦点距離
【請求項１８】
さらに下記条件式を満足する請求項９記載の撮像レンズ。
０．４＜νｄ１／νｄ２＜１．８  …  （８−２）
ただし、
νｄ１：前記第１レンズの材質のｄ線に対するアッベ数
νｄ２：前記第２レンズの材質のｄ線に対するアッベ数
【請求項１９】
請求項１から１８のいずれか１項記載の撮像レンズを搭載した撮像装置。
【発明の詳細な説明】
【技術分野】
【０００１】
本発明は、撮像レンズおよび撮像装置に関し、より詳しくは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を用いた車載用カメラ、携帯端末用カメラ、監視カメラ等に使用されるのに好適な撮像レンズ、およびこの撮像レンズを備えた撮像装置に関するものである。
【背景技術】
【０００２】
ＣＣＤやＣＭＯＳ等の撮像素子は近年非常に小型化および高画素化が進んでいる。それとともに、これら撮像素子を備えた撮像機器本体も小型化が進み、それに搭載される撮像レンズにも良好な光学性能に加え、小型化が求められている。一方、車載用カメラや監視カメラ等の用途では、小型化とともに、安価に構成可能で、広角で高性能であることが求められている。【０００３】
下記特許文献１〜３には、車載用カメラに搭載される撮像レンズとして、物体側から順に、負、正、負、正、正、負のレンズ配置からなる６枚構成の撮像レンズが提案されている。
【先行技術文献】
【特許文献】
【０００４】
【特許文献１】特開２０１０−０７２６２２号公報
【特許文献２】特開２０１０−１０７５３１号公報
【特許文献３】特開平５−０８８０８５号公報
【発明の概要】
【発明が解決しようとする課題】
【０００５】
ところで、車載用カメラや監視カメラ等に搭載される撮像レンズに対する要求は年々厳しくなっており、Ｆ値を小さくし、さらなる低コスト化、広角化および高性能化を図ること、とくに可視域全域で色収差が良好であることが望まれている。【０００６】
本発明は上記事情に鑑み、Ｆ値が小さく、低コスト化、広角化および高性能化が実現可能な撮像レンズ、およびこの撮像レンズを備えた撮像装置を提供することを目的とするものである。
【課題を解決するための手段】
【０００７】
本発明の第１の撮像レンズは、物体側から順に、負のパワーを持つ第１レンズ、正のパワーを持つ第２レンズ、負のパワーを持つ第３レンズ、正のパワーを持つ第４レンズ、正のパワーを持つ第５レンズおよび負のパワーを持つ第６レンズからなり、下記条件式を満足することを特徴とするものである。【０００８】
１．３５＜（Ｒ３Ｆ＋Ｒ３Ｒ）／（Ｒ３Ｆ−Ｒ３Ｒ）＜６．０  …  （１）
νｄ３＜３０．０  …  （２）
ただし、
Ｒ３Ｆ：第３レンズの物体側の面の曲率半径
Ｒ３Ｒ：第３レンズの像側の面の曲率半径
νｄ３：第３レンズの材質のｄ線に対するアッベ数
本発明の第２の撮像レンズは、物体側から順に、負のパワーを持つ第１レンズ、正のパワーを持つ第２レンズ、負のパワーを持つ第３レンズ、正のパワーを持つ第４レンズ、正のパワーを持つ第５レンズおよび負のパワーを持つ第６レンズからなり、下記条件式を満足することを特徴とするものである。【０００９】
１．３５＜（Ｒ３Ｆ＋Ｒ３Ｒ）／（Ｒ３Ｆ−Ｒ３Ｒ）＜２．２０  …  （１−１）
ただし、
Ｒ３Ｆ：第３レンズの物体側の面の曲率半径
Ｒ３Ｒ：第３レンズの像側の面の曲率半径
本発明の第３の撮像レンズは、物体側から順に、負のパワーを持つ第１レンズ、正のパワーを持つ第２レンズ、負のパワーを持つ第３レンズ、正のパワーを持つ第４レンズ、正のパワーを持つ第５レンズおよび負のパワーを持つ第６レンズからなり、下記条件式を満足することを特徴とするものである。【００１０】
νｄ３＜３０．０  …  （２）
ｆ３／ｆ＜−１．４  …  （３）
ただし、
νｄ３：第３レンズの材質のｄ線に対するアッベ数
ｆ３：第３レンズの焦点距離
ｆ：全系の焦点距離
なお、本発明の第１の撮像レンズは第２および第３の撮像レンズの少なくとも一方の構成を有するものであってもよく、本発明の第２の撮像レンズは第１および第３の撮像レンズの少なくとも一方の構成を有するものであってもよく、本発明の第３の撮像レンズは第１および第２の撮像レンズの少なくとも一方の構成を有するものであってもよい。【００１１】
本発明の撮像レンズは、６枚のレンズからなるものであるが、６枚のレンズ以外に、実質的にパワーを持たないレンズ、開口絞り、カバーガラス等のレンズ以外の光学要素、レンズフランジ、レンズバレル、撮像素子、手ぶれ補正機構等の機構部分等を持つものも含むものであってもよい。【００１２】
また、本発明においては、凸面、凹面、平面、両凹、メニスカス、両凸、平凸および平凹等といったレンズの面形状、正および負といったレンズの屈折力の符号は、非球面が含まれているものについてはとくに断りのない限り近軸領域で考えるものとする。また、本発明においては、曲率半径の符号は、面形状が物体側に凸面を向けた場合を正、像側に凸面を向けた場合を負とすることにする。「レンズ面の中心が正のパワーを持つ」とは、レンズ面の近軸曲率が、レンズ面が凸面を形成するような値となっていることを意味し、「レンズ面の中心が負のパワーを持つ」とは、レンズ面の近軸曲率が、レンズ面が凹面を形成するような値となっていることを意味する。【００１３】
本発明の第１から第３の撮像レンズにおいては、レンズ系のうち正のパワーを持つレンズに、ｄ線に対する屈折率の温度係数ｄｎ／ｄｔが負の値となる材質を使用してもよい。【００１４】
上記本発明の第１から第３の撮像レンズにおいては、下記条件式（４）〜（１２）を満足することが好ましい。なお、好ましい態様としては、下記条件式（４）〜（１２）のいずれか１つの構成を有するものでもよく、あるいは任意の２つ以上を組み合わせた構成を有するものでもよい。【００１５】
１．０＜ｆ２／ｆ  …  （４）
１．０＜ｆ４／ｆ  …  （５）
０．１５＜νｄ４／νｄ５＜３．０  …  （６）
１．５＜ｆ３４／ｆ＜５．０  …  （７）
０．３＜νｄ１／νｄ２＜２．５  …  （８）
２．０＜Ｌ／ｆ＜１０．０  …  （９）
０．２＜Ｂｆ／ｆ＜２．０  …  （１０）
０．２＜ｆ４５／ｆ＜３．０  …  （１１）
１．５＜ｆ５６／ｆ＜７．５  …  （１２）
ただし、
ｆ２：第２レンズの焦点距離
ｆ４：第４レンズの焦点距離
ｆ３４：第３レンズおよび第４レンズの合成焦点距離
ｆ４５：第４レンズおよび第５レンズの合成焦点距離
ｆ５６：第５レンズおよび第６レンズの合成焦点距離
ｆ：全系の焦点距離
νｄ１：第１レンズの材質のｄ線に対するアッベ数
νｄ２：第２レンズの材質のｄ線に対するアッベ数
νｄ４：第４レンズの材質のｄ線に対するアッベ数
νｄ５：第５レンズの材質のｄ線に対するアッベ数
Ｌ：第１レンズの物体側の面から像面までの距離（バックフォーカス分は空気換算長）
Ｂｆ：最も像側のレンズの像側の面から撮像素子までの距離（バックフォーカス、空気換算長）
本発明の撮像装置は、上記記載の本発明の第１から第３の撮像レンズの少なくともいずれか１つを搭載したことを特徴とするものである。
【発明の効果】
【００１６】
本発明の第１の撮像レンズによれば、最小６枚のレンズ系において、全系におけるパワー配置等を好適に設定し、条件式（１）、（２）を満足するようにしているため、小型化、低コスト化および広角化を達成でき、かつバックフォーカスを確保することができ、さらには諸収差を良好に補正して、結像領域周辺部まで良好な像を得ることができる高い光学性能を有する撮像レンズを実現することができる。【００１７】
本発明の第２の撮像レンズによれば、最小６枚のレンズ系において、全系におけるパワー配置等を好適に設定し、条件式（１−１）を満足するようにしているため、小型化、低コスト化および広角化を達成でき、かつバックフォーカスを確保することができ、さらには諸収差を良好に補正して、結像領域周辺部まで良好な像を得ることができる高い光学性能を有する撮像レンズを実現することができる。【００１８】
本発明の第３の撮像レンズによれば、最小６枚のレンズ系において、全系におけるパワー配置等を好適に設定し、条件式（２）、（３）を満足するようにしているため、小型化、低コスト化および広角化を達成でき、かつバックフォーカスを確保することができ、さらには諸収差を良好に補正して、結像領域周辺部まで良好な像を得ることができる高い光学性能を有する撮像レンズを実現することができる。【００１９】
本発明の撮像装置によれば、本発明の撮像レンズを備えているため、小型で安価に構成でき、広い画角での撮影が可能であり、解像度の高い良好な像を得ることができる。
【図面の簡単な説明】
【００２０】
【図１】本発明の一実施形態に係る撮像レンズの構成と光路を示す図
【図２】本発明の実施例１の撮像レンズのレンズ構成を示す断面図
【図３】本発明の実施例２の撮像レンズのレンズ構成を示す断面図
【図４】本発明の実施例３の撮像レンズのレンズ構成を示す断面図
【図５】本発明の実施例４の撮像レンズのレンズ構成を示す断面図
【図６】本発明の実施例５の撮像レンズのレンズ構成を示す断面図
【図７】本発明の実施例６の撮像レンズのレンズ構成を示す断面図
【図８】（Ａ）〜（Ｄ）は本発明の実施例１の撮像レンズの各収差図
【図９】（Ａ）〜（Ｄ）は本発明の実施例２の撮像レンズの各収差図
【図１０】（Ａ）〜（Ｄ）は本発明の実施例３の撮像レンズの各収差図
【図１１】（Ａ）〜（Ｄ）は本発明の実施例４の撮像レンズの各収差図
【図１２】（Ａ）〜（Ｄ）は本発明の実施例５の撮像レンズの各収差図
【図１３】（Ａ）〜（Ｄ）は本発明の実施例６の撮像レンズの各収差図
【図１４】本発明の実施形態に係る車載用の撮像装置の配置を説明するための図
【発明を実施するための形態】
【００２１】
以下、本発明の実施形態について図面を参照して詳細に説明する。
【００２２】
〔撮像レンズの実施形態〕
まず、図１を参照しながら、本発明の実施形態に係る撮像レンズについて説明する。図１は、本発明の実施形態に係る撮像レンズ１の構成と光路を示す図である。なお、図１に示す撮像レンズ１は後述する本発明の実施例１に係る撮像レンズに対応するものである。
【００２３】
図１では、図の左側が物体側、右側が像側であり、無限遠の距離にある物点からの軸上光束２、全画角２ωでの軸外光束３、４も併せて示してある。図１では、撮像レンズ１が撮像装置に適用される場合を考慮して、撮像レンズ１の像点Ｐｉｍを含む像面Ｓｉｍに配置された撮像素子５も図示している。撮像素子５は、撮像レンズ１により形成される光学像を電気信号に変換するものであり、例えばＣＣＤイメージセンサやＣＭＯＳイメージセンサ等を用いることができる。
【００２４】
なお、撮像レンズ１を撮像装置に適用する際には、レンズを装着するカメラ側の構成に応じて、カバーガラスや、ローパスフィルタまたは赤外線カットフィルタ等を設けることが好ましく、図１では、これらを想定した平行平板状の光学部材ＰＰを最も像側のレンズと撮像素子５（像面Ｓｉｍ）との間に配置した例を示している。
【００２５】
まず、本発明の第１の実施形態の構成について説明する。本発明の第１の実施形態に係る撮像レンズは、物体側から順に、負のパワーを持つ第１レンズＬ１、正のパワーを持つ第２レンズＬ２、負のパワーを持つ第３レンズＬ３、正のパワーを持つ第４レンズＬ４、正のパワーを持つ第５レンズＬ５および負のパワーを持つ第６レンズＬ６を備える。図１に示す例では、第２レンズＬ２と第３レンズＬ３との間に開口絞りＳｔが配置されている。なお、図１における開口絞りＳｔは、形状や大きさを表すものではなく、光軸Ｚ上の位置を示すものである。
【００２６】
また、第１の実施形態の撮像レンズは、下記条件式（１）、（２）を満足するように構成されている。
【００２７】
１．３５＜（Ｒ３Ｆ＋Ｒ３Ｒ）／（Ｒ３Ｆ−Ｒ３Ｒ）＜６．０  …  （１）
νｄ３＜３０．０  …  （２）
ただし、
Ｒ３Ｆ：第３レンズＬ３の物体側の面の曲率半径
Ｒ３Ｒ：第３レンズＬ３の像側の面の曲率半径
νｄ３：第３レンズＬ３の材質のｄ線に対するアッベ数
第１の実施形態の撮像レンズは、最小６枚という少ないレンズ枚数で構成し、全系におけるパワー配置等を好適に設定することで、低コスト化とともに光軸方向の全長の小型化を図ることができる。また、最も物体側のレンズである第１レンズＬ１を負のパワーを持つレンズとすることで、レンズ系を広角化でき、かつバックフォーカスの確保が容易となり、レンズ系の径方向の小型化も容易となる。
【００２８】
条件式（１）の上限を満足することで、第３レンズＬ３の物体側の面および像側の面の曲率半径に差をつけることが容易となり、第３レンズＬ３のパワーを強くすることが容易となり、軸上の色収差の補正が容易となる。条件式（１）の下限を満足することで、球面収差および像面湾曲の補正が容易となる。
【００２９】
条件式（２）の上限を満足することで、第３レンズＬ３の材質のｄ線に対するアッベ数を小さくすることが容易となり、軸上の色収差の補正が容易となる。
【００３０】
次に、本発明の第２の実施形態の構成について説明する。本発明の第２の実施形態に係る撮像レンズは、物体側から順に、負のパワーを持つ第１レンズＬ１、正のパワーを持つ第２レンズＬ２、負のパワーを持つ第３レンズＬ３、正のパワーを持つ第４レンズＬ４、正のパワーを持つ第５レンズＬ５および負のパワーを持つ第６レンズＬ６を備える。図１に示す例では、第２レンズＬ２と第３レンズＬ３との間に開口絞りＳｔが配置されている。
【００３１】
また、第２の実施形態の撮像レンズは、下記条件式（１−１）を満足するように構成されている。
【００３２】
１．３５＜（Ｒ３Ｆ＋Ｒ３Ｒ）／（Ｒ３Ｆ−Ｒ３Ｒ）＜２．２０  …  （１−１）
ただし、
Ｒ３Ｆ：第３レンズＬ３の物体側の面の曲率半径
Ｒ３Ｒ：第３レンズＬ３の像側の面の曲率半径
第２の実施形態の撮像レンズは、最小６枚という少ないレンズ枚数で構成し、全系におけるパワー配置等を好適に設定することで、低コスト化とともに光軸方向の全長の小型化を図ることができる。また、最も物体側のレンズである第１レンズＬ１を負のパワーを持つレンズとすることで、レンズ系を広角化でき、かつバックフォーカスの確保が容易となり、レンズ系の径方向の小型化も容易となる。
【００３３】
条件式（１−１）の上限を満足することで、第３レンズＬ３の物体側の面および像側の面の曲率半径に差をつけることが容易となり、第３レンズのパワーを強くすることが容易となり、軸上の色収差の補正が容易となる。条件式（１−１）の下限を満足することで、球面収差および像面湾曲の補正が容易となる。なお、条件式（１−１）の上限は、第１の実施形態の撮像レンズの条件式（１）の上限よりも小さいため、条件式（１−１）の上限を満足することで、条件式（１）の上限を満足する場合よりも、第３レンズＬ３のパワーを強くすることができる。したがって、条件式（１−１）の上限を満足することで、条件式（２）を満足しなくても、軸上の色収差の補正がより容易となる。
【００３４】
次に、本発明の第３の実施形態の構成について説明する。本発明の第３の実施形態に係る撮像レンズは、物体側から順に、負のパワーを持つ第１レンズＬ１、正のパワーを持つ第２レンズＬ２、負のパワーを持つ第３レンズＬ３、正のパワーを持つ第４レンズＬ４、正のパワーを持つ第５レンズＬ５および負のパワーを持つ第６レンズＬ６を備える。図１に示す例では、第２レンズＬ２と第３レンズＬ３との間に開口絞りＳｔが配置されている。
【００３５】
また、第３の実施形態の撮像レンズは、下記条件式（２）、（３）を満足するように構成されている。
【００３６】
νｄ３＜３０．０  …  （２）
ｆ３／ｆ＜−１．４  …  （３）
ただし、
νｄ３：第３レンズＬ３の材質のｄ線に対するアッベ数
ｆ３：第３レンズＬ３の焦点距離
ｆ：全系の焦点距離
第３の実施形態の撮像レンズは、最小６枚という少ないレンズ枚数で構成し、全系におけるパワー配置等を好適に設定することで、低コスト化とともに光軸方向の全長の小型化を図ることができる。また、最も物体側のレンズである第１レンズＬ１を負のパワーを持つレンズとすることで、レンズ系を広角化でき、かつバックフォーカスの確保が容易となり、レンズ系の径方向の小型化も容易となる。
【００３７】
条件式（２）の上限を満足することで、第３レンズＬ３の材質のｄ線に対するアッベ数を小さくすることが容易となり、軸上の色収差の補正が容易となる。
【００３８】
条件式（３）の上限を満足することで、球面収差および像面湾曲の補正が容易となる。
【００３９】
なお、第１の実施形態に係る撮像レンズは、第２の実施形態に係る撮像レンズまたは第３の実施形態に係る撮像レンズの構成を有していてもよく、第２および第３の実施形態に係る撮像レンズの構成を有していてもよい。また、第２の実施形態に係る撮像レンズは、第１の実施形態に係る撮像レンズまたは第３の実施形態に係る撮像レンズの構成を有していてもよく、第１および第３の実施形態に係る撮像レンズの構成を有していてもよい。また、第３の実施形態に係る撮像レンズは、第１の実施形態に係る撮像レンズまたは第２の実施形態に係る撮像レンズの構成を有していてもよく、第１および第２の実施形態に係る撮像レンズの構成を有していてもよい。
【００４０】
また、第１の実施形態に係る撮像レンズは、第２の実施形態に係る撮像レンズが有する構成のうちの一部を有していてもよく、第３の実施形態に係る撮像レンズが有する構成のうちの一部を有していてもよい。第２の実施形態に係る撮像レンズは、第１の実施形態に係る撮像レンズが有する構成のうちの一部を有していてもよく、第３の実施形態に係る撮像レンズが有する構成のうちの一部を有していてもよい。第３の実施形態に係る撮像レンズは、第１の実施形態に係る撮像レンズが有する構成のうちの一部を有していてもよく、第２の実施形態に係る撮像レンズが有する構成のうちの一部を有していてもよい。
【００４１】
次に、本発明の上記第１から第３の実施形態に係る撮像レンズが有することが好ましい構成を挙げて、その作用効果について説明する。なお、好ましい態様としては、以下のいずれか１つの構成を有するものでもよく、あるいは任意の２つ以上を組み合わせた構成を有するものでもよい。
【００４２】
１．０＜ｆ２／ｆ  …  （４）
１．０＜ｆ４／ｆ  …  （５）
０．１５＜νｄ４／νｄ５＜３．０  …  （６）
１．５＜ｆ３４／ｆ＜５．０  …  （７）
０．３＜νｄ１／νｄ２＜２．５  …  （８）
２．０＜Ｌ／ｆ＜１０．０  …  （９）
０．２＜Ｂｆ／ｆ＜２．０  …  （１０）
０．２＜ｆ４５／ｆ＜３．０  …  （１１）
１．５＜ｆ５６／ｆ＜７．５  …  （１２）
ただし、
ｆ２：第２レンズＬ２の焦点距離
ｆ４：第４レンズＬ４の焦点距離
ｆ３４：第３レンズＬ３および第４レンズＬ４の合成焦点距離
ｆ４５：第４レンズＬ４および第５レンズＬ５の合成焦点距離
ｆ５６：第５レンズＬ５および第６レンズＬ６の合成焦点距離
ｆ：全系の焦点距離
νｄ１：第１レンズＬ１の材質のｄ線に対するアッベ数
νｄ２：第２レンズＬ２の材質のｄ線に対するアッベ数
νｄ４：第４レンズＬ４の材質のｄ線に対するアッベ数
νｄ５：第５レンズＬ５の材質のｄ線に対するアッベ数
Ｌ：第１レンズＬ１の物体側の面から像面までの距離（バックフォーカス分は空気換算長）
Ｂｆ：最も像側のレンズの像側の面から撮像素子までの距離（バックフォーカス、空気換算長）
条件式（４）の下限を満足することで、第２レンズＬ２のパワーが強くなりすぎるのを抑えることができ、偏心による誤差感度を抑えることが容易となる。
【００４３】
条件式（５）の下限を満足することで、第４レンズＬ４のパワーが強くなりすぎるのを抑えることができ、偏心による誤差感度を抑えることが容易となるか、球面収差の補正が容易となる。
【００４４】
条件式（６）の上限を満足することで、第５レンズＬ５の材質のｄ線に対するアッベ数を大きくすることが容易となり、軸上の色収差および倍率の色収差を抑えることが容易となる。条件式（６）の下限を満足することで、第４レンズＬ４の材質のｄ線に対するアッベ数を大きくすることが容易となり、軸上の色収差および倍率の色収差を抑えることが容易となる。
【００４５】
条件式（７）の上限を満足することで、第３レンズＬ３および第４レンズＬ４の合成パワーが正で弱くなるのを抑えることが容易となり、球面収差を抑えることが容易となる。条件式（７）の下限を満足することで、第３レンズＬ３および第４レンズＬ４の合成パワーが強くなるのを抑えることが容易となり、像面湾曲を抑えることが容易となる。
【００４６】
条件式（８）の上限を満足することで、第２レンズＬ２の材質のｄ線に対するアッベ数が小さくなりすぎるのを抑えることが容易となり、軸上の色収差を抑えることが容易となる。条件式（８）の下限を満足することで、第１レンズＬ１の材質のｄ線に対するアッベ数を大きくすることが容易となり、軸上の色収差および倍率の色収差を抑えることが容易となるか、かつ第２レンズＬ２の材質のｄ線に対するアッベ数を小さくすることが容易となり、倍率の色収差を抑えることが容易となる。
【００４７】
条件式（９）の上限を満足することで、レンズ系の小型化が容易となるか、広角化が容易となる。条件式（９）の下限を満足することで、各レンズの厚さを厚くすることが容易となり、レンズの加工および組立てが容易となる。
【００４８】
条件式（１０）の上限を満足することで、バックフォーカスを抑えることが容易となり、レンズ系の小型化が容易となる。条件式（１０）の下限を満足することで、バックフォーカスを長くすることが容易となり、レンズ系と像面との間に各種フィルタやカバーガラスを配置することが容易となる。
【００４９】
条件式（１１）の上限を満足することで、第４レンズＬ４および第５レンズＬ５の合成パワーが正で弱くなりすぎるのを抑えることが容易となり、球面収差の補正が容易となる。条件式（１１）の下限を満足することで、第４レンズＬ４および第５レンズＬ５の合成パワーが正で強くなりすぎるのを抑えることが容易となり、バックフォーカスの確保が容易となる。
【００５０】
条件式（１２）の上限を満足することで、第６レンズＬ６のパワーが強くなるのを抑えることが容易となり、光線が撮像素子に入射する角度を抑えることが容易となるか、第５レンズＬ５のパワーが弱くなるのを抑えることが容易となり、球面収差の補正が容易となる。条件式（１２）の下限を満足することで、第６レンズＬ６のパワーが弱くなるのを抑えることが容易となり、倍率の色収差の補正が容易となるか、第５レンズＬ５のパワーが強くなりすぎるのを防ぐことで、球面収差の補正が容易となるかバックフォーカスの確保が容易となる。
【００５１】
なお、上記の作用効果を高めるためには、上記の各条件式について、さらに以下のように上限を追加したり、下限を追加したり、下限または上限を変更したりしたものを満足することが好ましい。また、好ましい態様としては、以下に述べる下限の変更値と上限の変更値とを組み合わせて構成される条件式を満足するものでもよい。下記に例として好ましい条件式の変更例を述べるが、条件式の変更例は下記に式として記載されたものに限定されず、記載された変更値を組み合わせたものとしてもよい。
【００５２】
条件式（１）の上限は５．０とすることがより好ましく、これにより、第３レンズＬ３のパワーを強くすることがより容易となり、軸上色収差の補正がより容易となる。条件式（１）の上限は４．２とすることがより好ましく、３．３とすることがさらに好ましく、２．２とすることがさらにより好ましく、２．０とすることが一層好ましい。条件式（１）の下限は１．４とすることが好ましく、これにより、球面収差および像面湾曲の補正がより容易となる。条件式（１）の下限は１．５とすることがより好ましく、１．６とすることがさらに好ましい。上記より、例えば下記条件式（１−１）〜（１−６）を満足することがより好ましい。
【００５３】
１．３５＜（Ｒ３Ｆ＋Ｒ３Ｒ）／（Ｒ３Ｆ−Ｒ３Ｒ）＜２．２０  …  （１−１）
１．３５＜（Ｒ３Ｆ＋Ｒ３Ｒ）／（Ｒ３Ｆ−Ｒ３Ｒ）＜３．３  …  （１−２）
１．４＜（Ｒ３Ｆ＋Ｒ３Ｒ）／（Ｒ３Ｆ−Ｒ３Ｒ）＜２．２０  …  （１−３）
１．３５＜（Ｒ３Ｆ＋Ｒ３Ｒ）／（Ｒ３Ｆ−Ｒ３Ｒ）＜６．０  …  （１−４）
１．３５＜（Ｒ３Ｆ＋Ｒ３Ｒ）／（Ｒ３Ｆ−Ｒ３Ｒ）＜４．２  …  （１−５）
１．５＜（Ｒ３Ｆ＋Ｒ３Ｒ）／（Ｒ３Ｆ−Ｒ３Ｒ）＜２．０  …  （１−６）
条件式（２）の上限は２５とすることが好ましく、これにより、第３レンズＬ３の材質のｄ線に対するアッベ数を小さくすることがより容易となり、軸上の色収差の補正がより容易となる。条件式（２）の上限は２２とすることがより好ましく、２０とすることがさらに好ましい。上記より、例えば下記条件式（２−１）〜（２−３）を満足することがより好ましい。
【００５４】
νｄ３＜２５．０  …  （２−１）
νｄ３＜２０．０  …  （２−２）
νｄ３＜１９．０  …  （２−３）
条件式（３）の上限は−１．６とすることが好ましく、これにより、球面収差および像面湾曲の補正がより容易となる。条件式（３）の上限は−１．８とすることがより好ましく、−１．９とすることがさらに好ましい。条件式（３）に下限を設けることが好ましく、下限は−１０とすることが好ましく、これにより、第３レンズＬ３のパワーを強くすることが容易となり、軸上の色収差の補正が容易となる。条件式（３）の下限は−５とすることが好ましく、−４とすることがより好ましく、−３．８とすることがさらに好ましい。上記より、例えば下記条件式（３−１）〜（３−５）を満足することがより好ましい。
【００５５】
ｆ３／ｆ＜−１．６  …  （３−１）
ｆ３／ｆ＜−１．８  …  （３−２）
−１０＜ｆ３／ｆ＜−１．４  …  （３−３）
−５＜ｆ３／ｆ＜−１．６  …  （３−４）
−４／ｆ３／ｆ＜−１．８  …  （３−５）
条件式（４）の下限は１．１とすることが好ましく、これにより、第２レンズＬ２のパワーが強くなりすぎるのをより抑えることができ、偏心による誤差感度を抑えることがより容易となる。条件式（４）の下限は１．２とすることがより好ましく、１．３とすることがさらに好ましい。条件式（４）に上限を設けることが好ましく、上限は１０．０とすることが好ましく、これにより、第２レンズＬ２のパワーを強くすることが容易となり、像面湾曲の補正が容易となる。条件式（４）の上限は８．０とすることが好ましく、６．０とすることがより好ましく、５．０とすることがさらに好ましく、４．０とすることがさらにより好ましい。上記より、例えば下記条件式（４−１）〜（４−４）を満足することがより好ましい。
【００５６】
１．０＜ｆ２／ｆ＜８．０  …  （４−１）
１．１＜ｆ２／ｆ＜６．０  …  （４−２）
１．２＜ｆ２／ｆ＜５．０  …  （４−３）
１．１＜ｆ２／ｆ＜４．０  …  （４−４）
条件式（５）の下限は１．１とすることが好ましく、これにより、第４レンズＬ４のパワーが強くなりすぎるのをより抑えることができ、偏心による誤差感度を抑えることがより容易となり、かつ第４レンズＬ４のパワーを抑えることがより容易となり、球面収差の補正がより容易となる。条件式（５）の下限は１．２とすることがより好ましく、１．３とすることがさらに好ましい。条件式（５）に上限を設けることが好ましく、上限は７．０とすることが好ましく、これにより、球面収差および像面湾曲の補正が容易となる。条件式（５）の上限は５．０とすることが好ましく、４．１とすることがより好ましく、３．３とすることがさらに好ましく、２．１とすることがさらにより好ましい。上記より、例えば下記条件式（５−１）〜（５−４）を満足することがより好ましい。
【００５７】
１．０＜ｆ４／ｆ＜７．０  …  （５−１）
１．１＜ｆ４／ｆ＜５．０  …  （５−２）
１．２＜ｆ４／ｆ＜５．０  …  （５−３）
１．１＜ｆ４／ｆ＜３．３  …  （５−４）
条件式（６）の上限は２．０とすることが好ましく、これにより、第５レンズＬ５の材質のｄ線に対するアッベ数を大きくすることがより容易となり、軸上の色収差および倍率の色収差を抑えることがより容易となる。条件式（６）の上限は１．０とすることがより好ましく、０．９とすることがさらに好ましい。条件式（６）の下限は０．２とすることが好ましく、これにより、第４レンズＬ４の材質のｄ線に対するアッベ数が小さくなるのを抑えることがより容易となり、軸上の色収差および倍率の色収差を抑えることがより容易となる。条件式（６）の下限は０．４とすることがより好ましく、０．５とすることがさらに好ましい。上記より、例えば下記条件式（６−１）〜（６−４）を満足することがより好ましい。
【００５８】
０．２＜νｄ４／νｄ５＜２．０  …  （６−１）
０．４＜νｄ４／νｄ５＜１．０  …  （６−２）
０．５＜νｄ４／νｄ５＜１．０  …  （６−３）
０．５＜νｄ４／νｄ５＜０．９  …  （６−４）
条件式（７）の上限は４．７とすることが好ましく、これにより、第３レンズＬ３および第４レンズＬ４の合成パワーが弱くなるのを抑えることがより容易となり、球面収差を抑えることがより容易となる。条件式（７）の上限は４．２とすることがより好ましく、３．９とすることがさらに好ましい。条件式（７）の下限は１．７とすることが好ましく、これにより、第３レンズＬ３および第４レンズＬ４の合成パワーが強くなるのを抑えることがより容易となり、像面湾曲を抑えることがより容易となる。条件式（７）の下限は１．８とすることがより好ましく、１．９とすることがさらに好ましい。上記より、例えば下記条件式（７−１）〜（７−４）を満足することがより好ましい。
【００５９】
１．７＜ｆ３４／ｆ＜４．７  …  （７−１）
１．８＜ｆ３４／ｆ＜４．２  …  （７−２）
１．８＜ｆ３４／ｆ＜３．９  …  （７−３）
１．９＜ｆ３４／ｆ＜３．９  …  （７−４）
条件式（８）の上限は２．２とすることが好ましく、これにより、第２レンズＬ２の材質のｄ線に対するアッベ数が小さくなりすぎるのを抑えることがより容易となり、軸上の色収差を抑えることがより容易となる。条件式（８）の上限は１．８とすることがより好ましく、１．５とすることがさらに好ましい。条件式（８）の下限は０．４とすることが好ましく、これにより、第１レンズＬ１の材質のｄ線に対するアッベ数を大きくすることがより容易となり、軸上の色収差および倍率の色収差を抑えることがより容易となるか、第２レンズＬ２の材質のｄ線に対するアッベ数を小さくすることがより容易となり、倍率の色収差を抑えることがより容易となる。条件式（８）の下限は０．６とすることがより好ましい。上記より、例えば下記条件式（８−１）〜（８−３）を満足することがより好ましい。
【００６０】
０．４＜νｄ１／νｄ２＜２．０  …  （８−１）
０．４＜νｄ１／νｄ２＜１．８  …  （８−２）
０．６＜νｄ１／νｄ２＜１．５  …  （８−３）
条件式（９）の上限は９．０とすることが好ましく、これにより、レンズ系の小型化がより容易となるか、広角化がより容易となる。条件式（９）の上限は７．０とすることがより好ましく、６．０とすることがさらに好ましい。条件式（９）の下限は２．５とすることが好ましく、これにより、各レンズの厚さを厚くすることがより容易となり、レンズの加工および組立てがより容易となる。条件式（９）の下限は３．０とすることがより好ましい。上記より、例えば下記条件式（９−１）〜（９−３）を満足することがより好ましい。
【００６１】
２．５＜Ｌ／ｆ＜９．０  …  （９−１）
２．５＜Ｌ／ｆ＜７．０  …  （９−２）
３．０＜Ｌ／ｆ＜６．０  …  （９−３）
条件式（１０）の上限は１．８とすることが好ましく、これにより、バックフォーカスを抑えることがより容易となり、レンズ系の小型化がより容易となる。条件式（１０）の上限は１．６とすることがより好ましく、１．４とすることがさらに好ましい。条件式（１０）の下限は０．３とすることが好ましく、これにより、バックフォーカスを長くすることがより容易となり、レンズ系との間に各種フィルタやカバーガラスを配置することがより容易となる。条件式（１０）の下限は０．４とすることがより好ましい。上記より、例えば下記条件式（１０−１）〜（１０−３）を満足することがより好ましい。
【００６２】
０．３＜Ｂｆ／ｆ＜１．８  …  （１０−１）
０．３＜Ｂｆ／ｆ＜１．６  …  （１０−２）
０．４＜Ｂｆ／ｆ＜１．４  …  （１０−３）
条件式（１１）の上限は２．２とすることが好ましく、これにより、第４レンズＬ４および第５レンズＬ５の合成パワーが弱くなりすぎるのを抑えることがより容易となり、球面収差の補正がより容易となるか、倍率の色収差の補正がより容易となる。条件式（１１）の上限は１．６とすることがより好ましく、１．３とすることがさらに好ましい。条件式（１１）の下限は０．３とすることが好ましく、これにより、第４レンズＬ４および第５レンズＬ５の合成パワーが強くなりすぎるを抑えることがより容易となり、バックフォーカスの確保がより容易となる。条件式（１１）の下限は０．４とすることがより好ましい。上記より、例えば下記条件式（１１−１）〜（１１−４）を満足することがより好ましい。
【００６３】
０．２＜ｆ４５／ｆ＜２．２  …  （１１−１）
０．３＜ｆ４５／ｆ＜１．６  …  （１１−２）
０．３＜ｆ４５／ｆ＜１．３  …  （１１−３）
０．４／ｆ４５／ｆ＜１．３  …  （１１−４）
条件式（１２）の上限は６．０とすることが好ましく、これにより、第６レンズＬ６のパワーが強くなるのを抑えることがより容易となり、光線が撮像素子に入射する角度を抑えることがより容易となるか、第５レンズＬ５のパワーが弱くなるのを抑えることがより容易となり、球面収差の補正がより容易となる。条件式（１２）の上限は５．５とすることがより好ましく、５．０とすることがさらに好ましい。条件式（１２）の下限は２．０とすることが好ましく、これにより、第６レンズＬ６のパワーが弱くなるのを抑えることがより容易となり、倍率の色収差の補正がより容易となるか、第５レンズＬ５のパワーが強くなりすぎるのを防ぐことで、球面収差の補正がより容易となるかバックフォーカスの確保がより容易となる。条件式（１２）の下限は２．２とすることがより好ましく、２．５とすることがさらに好ましい。上記より、例えば下記条件式（１２−１）〜（１２−３）を満足することがより好ましい。
【００６４】
２．０＜ｆ５６／ｆ＜６．０  …  （１２−１）
２．２＜ｆ５６／ｆ＜５．５  …  （１２−２）
２．５＜ｆ５６／ｆ＜５．０  …  （１２−３）
レンズ系のうち正のパワーを持つレンズに、屈折率の温度係数ｄｎ／ｄｔが負の値となる材質を使用することが好ましい。これにより、温度変化によるフォーカスシフトを抑えることが容易となる。屈折率の温度係数ｄｎ／ｄｔが負の値となる材質は１枚のレンズのみに使用されていてもよく、複数枚のレンズに使用されていてもよい。
【００６５】
屈折率の温度係数ｄｎ／ｄｔが負の値となる材質としては、具体的にはオハラ社のＳ−ＰＨＭ５２、Ｓ−ＰＨＭ５３、Ｓ−ＦＰＭ２、Ｓ−ＦＰＭ３またはＳ−ＦＰＬ５１を使用することが好ましく、これにより温度変化によるフォーカスシフトを抑えることが容易となる。屈折率の温度係数ｄｎ／ｄｔが負の値となる材質としては、ＨＯＹＡ社ＰＣＤ４、ＦＣＤ５０５または成都光明社Ｈ−ＺＰＫ１を使用してもよい。
【００６６】
屈折率の温度係数ｄｎ／ｄｔは、ＨＯＹＡ社の材質に関しては、波長６３２．８ｎｍ（Ｈｅ−Ｎｅレーザ）に対する屈折率の温度係数が負の値となる材質を使用することが好ましく、その他のオハラ社、成都光明社、住田社等に関しては、ｄ線に対する屈折率の温度係数が負の値となる材質を使用することが好ましい。
【００６７】
屈折率の温度係数ｄｎ／ｄｔが負の値となる材質を第２レンズＬ２に使用することが好ましい。
【００６８】
屈折率の温度係数ｄｎ／ｄｔが負の値となる材質を第４レンズＬ４に使用することが好ましい。
【００６９】
屈折率の温度係数ｄｎ／ｄｔが負の値となる材質を第５レンズＬ５に使用することが好ましい。
【００７０】
第１レンズＬ１の材質のｄ線に対するアッベ数は４０以上とすることが好ましく、これにより、軸上の色収差および倍率の色収差を良好に補正することが可能となる。また、４５以上とすることがより好ましい。
【００７１】
第２レンズＬ２の材質のｄ線に対するアッベ数は２５以上とすることが好ましく、これにより、軸上の色収差を良好に補正することが可能となる。また、２８以上とすることがより好ましい。
【００７２】
第２レンズＬ２の材質のｄ線に対するアッベ数は７０以下とすることが好ましく、これにより、第２レンズの材質を安価にすることが容易となるか、倍率の色収差を良好に補正することが容易となる。
【００７３】
第３レンズＬ３の材質のｄ線に対するアッベ数は３０以下とすることが好ましく、これにより、軸上の色収差を良好に補正することが可能となる。また、２５以下とすることがより好ましく、２０以下とすることがさらに好ましい。
【００７４】
第４レンズＬ４の材質のｄ線に対するアッベ数は３５以上とすることが好ましく、これにより、軸上の色収差および倍率の色収差を良好に補正することが可能となる。
【００７５】
第５レンズＬ５の材質のｄ線に対するアッベ数は４０以上とすることが好ましく、これにより、軸上の色収差および倍率の色収差を良好に補正することが可能となる。また、５０以上とすることがより好ましく、６０以上とすることがさらに好ましい。
【００７６】
第６レンズＬ６の材質のｄ線に対するアッベ数は３０以下とすることが好ましく、これにより、軸上の色収差および倍率の色収差を良好に補正することが可能となる。また、２５以下とすることがより好ましく、２０以下とすることがさらに好ましい。
【００７７】
開口絞りとは、レンズ系のＦ値（Ｆｎｏ）を決める絞りのことであり、開口絞りは第５レンズＬ５より物体側に配置されていることが好ましい。ここで、開口絞りが第５レンズＬ５より物体側に配置されているとは、開口絞りの中心（光軸上の位置）が第５レンズＬ５像側の面より物体側にあることを意味する。開口絞りを第５レンズＬ５より物体側に配置することで、第１レンズＬ１の開口径を小さくすることが容易となり、レンズ径の小型化が容易となる。例えば本実施形態の撮像レンズを車載カメラに使用する場合、車の外観を損なわないため、レンズのうち外部に露出する部分は小さくすることが求められる。開口絞りを第５レンズＬ５より物体側に配置することで、第１レンズＬ１の開口径を小さくすることが容易となり、レンズのうち外部に露出する部分を小さくすることが容易となる。さらに、光線が撮像素子に入射する角度を抑えることが容易となり、シェーディングを抑えることが容易となる。
【００７８】
開口絞りは第４レンズＬ４の像側の面より物体側に配置されていることが好ましい。これにより、レンズのうち外部に露出する部分を小さくすることがより容易となり、かつシェーディングを抑えることがより容易となる。
【００７９】
開口絞りが第１レンズＬ１の物体側の面より像側に配置されていることが好ましい。これにより、第６レンズＬ６の径と第１レンズＬ１の径とのバランスをとることができ、全体のレンズ径を小型化することが容易となる。
【００８０】
外部に露出する部分を小型化およびレンズ系全体の径の小型化をバランスよく行うためには、開口絞りは第２レンズＬ２と第３レンズＬ３との間、もしくは第３レンズＬ３と第４レンズＬ４との間に配置されていることが好ましい。
【００８１】
第１レンズＬ１〜第６レンズＬ６の各レンズのいずれかの面を非球面とすることが好ましい。これにより、諸収差を良好に補正することができる。
【００８２】
第２レンズＬ２の少なくとも片側の面を非球面とすることが好ましい。第２レンズＬ２の少なくとも片側の面を非球面とすることで、像面湾曲および球面収差を補正することが容易となり、良好な解像性能を得ることが可能となる。第２レンズＬ２は両面を非球面とすることがより好ましい。
【００８３】
非球面における「凸面」、「凹面」は近軸領域で考えるものとする。非球面における近軸領域以外の点におけるパワーは、その点における面の法線を考え、その点から法線と光軸が交わる点までの長さをその点における曲率半径とし、その長さの絶対値が、近軸の曲率半径の絶対値と比べて大きいか小さいかで判断する。非球面上のある点における曲率半径の絶対値が近軸の曲率半径の絶対値より大きい場合、近軸領域とくらべその点におけるパワーは小さく（弱く）なっているものとし、非球面上のある点における曲率半径の絶対値が近軸の曲率半径の絶対値より小さい場合、近軸領域とくらべ、その点におけるパワーは大きく（強く）なっているものとする。
【００８４】
非球面における近軸領域以外の点における「凸面（正のパワー）」、「凹面（負のパワー）」は、その点における面の法線を考え、法線と光軸が交わる点が、面と光軸が交わる点のどちら側にあるかで判断する。面が物体側の面の場合には、法線と光軸が交わる点が、面と光軸が交わる点より像側の場合には凸面（正のパワー）、法線と光軸が交わる点が、面と光軸が交わる点より物体側の場合には凹面（負のパワー）とする。面が像側の面の場合には、法線と光軸が交わる点が、面と光軸が交わる点より物体側の場合には凸面（正のパワー）、法線と光軸が交わる点が、面と光軸が交わる点より像側の場合には凹面（負のパワー）とする。
【００８５】
なお、「面の有効径」とは、結像に寄与する全光線とレンズ面との交わる点を考えたとき、径方向における最も外側の点（最も光軸から離れた点）からなる円の直径を意味し、「有効径端」とは、この最も外側の点を意味するものとする。なお、光軸に対して回転対称の系においては、上記の最も外側の点からなる図形は円となるが、回転対称ではない系においては円とならない場合があり、そのような場合は、等価の円形を考えてその円の直径を有効径としてもよい。
【００８６】
第２レンズＬ２の物体側の面は、中心（近軸領域）と有効径端とがともに正のパワーを持ち、有効径端では中心と比較して正のパワーが弱い形状とすることが好ましい。第２レンズＬ２の物体側の面をこのような形状とすることで、像面湾曲および球面収差を良好に補正することが容易となる。
【００８７】
第２レンズＬ２の像側の面は、中心と有効径端とがともに正のパワーを持ち、有効径端では中心と比較して正のパワーが弱い形状とすることが好ましい。第２レンズＬ２の像側の面をこのような形状とすることで、像面湾曲および球面収差を良好に補正することが容易となる。
【００８８】
第４レンズＬ４の少なくとも片側の面を非球面とすることが好ましい。第４レンズＬ４の少なくとも片側の面を非球面とすることで、像面湾曲および球面収差を補正することが容易となり、良好な解像性能を得ることが可能となる。第４レンズＬ４は両面を非球面とすることがより好ましい。
【００８９】
第４レンズＬ４の物体側の面は、近軸領域で平面であり、有効径端では凹面である形状、または中心と有効径端とがともに負のパワーを持ち、有効径端では中心と比較して負のパワーが強い形状とすることが好ましい。第４レンズＬ４の物体側の面をこのような形状とすることで、像面湾曲および球面収差を良好に補正することが容易となる。
【００９０】
第４レンズＬ４の像側の面は、中心と有効径端とがともに正のパワーを持ち、有効径端では中心と比較して正のパワーが強い形状とすることが好ましい。第４レンズＬ４の像側の面をこのような形状とすることで、像面湾曲および球面収差を良好に補正することが容易となる。
【００９１】
第１レンズＬ１は物体側に凸面を向けていることが好ましい。これにより、像面湾曲およびコマ収差を良好に補正することが容易となる。
【００９２】
第１レンズＬ１は物体側に凸面を向けたメニスカス形状とすることが好ましい。これにより、像面湾曲およびコマ収差を良好に補正することがより容易となり、かつディストーションの補正が容易となる。
【００９３】
第２レンズＬ２は両凸形状とすることが好ましい。これにより、第２レンズＬ２のパワーを強くすることが容易となり、球面収差および像面湾曲の補正が容易となる。
【００９４】
第３レンズＬ３は物体側に凸面を向けたメニスカス形状もしくは平凸形状とすることが好ましい。これにより、像面湾曲の補正が容易となる。
【００９５】
第４レンズＬ４は像側に凸面を向けていることが好ましい。これにより、像面湾曲の補正が容易となる。
【００９６】
第４レンズＬ４は像側に凸面を向けたメニスカス形状もしくは像側に凸面を向けた平凸形状とすることが好ましい。これにより、像面湾曲の補正が容易となる。
【００９７】
第５レンズＬ５は両凸形状とすることが好ましい。これにより、第５レンズＬ５のパワーを強くすることができるため、球面収差および像面湾曲の補正が容易となり、かつ第６レンズＬ６との間で倍率の色収差の補正が容易となる。
【００９８】
第６レンズＬ６は物体側に凹面を向けたメニスカス形状もしくは物体側に凹面を向けた平凹形状とすることが好ましい。これにより、像面湾曲およびコマ収差の補正が容易となるか、撮像素子周辺へ入射する光線の角度を抑えることが容易となる。
【００９９】
第１レンズＬ１の材質はガラスであることが好ましい。撮像レンズが例えば車載用カメラや監視カメラ用等の厳しい環境において使用される場合には、最も物体側に配置される第１レンズＬ１は、風雨による表面劣化、直射日光による温度変化に強く、さらには油脂・洗剤等の化学薬品に強い材質、すなわち耐水性、耐候性、耐酸性および耐薬品性等が高い材質を用いることが要望され、また、堅く、割れにくい材質を用いることが要望されることがある。材質をガラスとすることで、これらの要望を満たすことが可能となる。また、第１レンズＬ１の材質として、透明なセラミックスを用いてもよい。
【０１００】
なお、第１レンズＬ１の物体側の面に、強度、耐傷性および耐薬品性を高めるための保護手段を施してもよく、その場合には、第１レンズＬ１の材質をプラスチックとしてもよい。このような保護手段は、ハードコートであってもよく、撥水コートであってもよい。
【０１０１】
例えば車載カメラ用レンズにおいてはレンズは各種衝撃に耐えることが求められる。このため第１レンズＬ１は厚いことが好ましく、第１レンズＬ１の中心厚が０．５ｍｍ以上であることが好ましい。
【０１０２】
耐環境性のよい光学系を作製するためには、すべてのレンズがガラスであることが好ましい。監視カメラ用レンズや車載カメラ用レンズとして用いられた場合、高温から低温までの広い温度範囲や高湿等の様々な条件で用いられる可能性がある。それらに強い光学系を作製するためには、すべてのレンズがガラスで作製されていることが好ましい。
【０１０３】
第１レンズＬ１から第６レンズＬ６のいずれか、あるいはこれらのうちの任意の複数の組み合わせておいて、その材質をプラスチックとすることが好ましい。材質をプラスチックとすることで、レンズ系を安価で軽量化することが容易となるとともに、非球面形状を安価かつ正確に作製することができるため、球面収差および像面湾曲を良好に補正することが可能となる。
【０１０４】
温度変化に強いレンズ系を作製するためには、正のパワーのプラスチックレンズと負のパワーのプラスチックレンズとを有することが好ましい。プラスチックレンズは一般的に温度変化による特性の変化が大きく、これによりフォーカスシフトが発生してしまうが、レンズ系に正のパワーのプラスチックレンズと負のパワーのプラスチックレンズとを含むことで、パワー変化を打ち消しあい、性能劣化を最小限にとどめることが可能となる。
【０１０５】
プラスチックの材質としては、例えば、アクリル、ポリオレフィン系の材質、ポリカーボネイト系の材質、エポキシ樹脂、ＰＥＴ（Ｐｏｌｙｅｔｈｙｌｅｎｅ  ｔｅｒｅｐｈｔｈａｌａｔｅ）、ＰＥＳ（Ｐｏｌｙ  Ｅｔｈｅｒ  Ｓｕｌｐｈｏｎｅ）等を用いることができる。
【０１０６】
なお、撮像レンズ１の用途に応じて、レンズ系と撮像素子５との間に紫外光から青色光をカットするようなフィルタ、または赤外光をカットするようなＩＲ（ＩｎｆｒａＲｅｄ）カットフィルタを挿入してもよい。上記フィルタと同様の特性を持つコートをレンズ面に塗布してもよい。またはいずれかのレンズの材質として紫外光や青色光、赤外光等を吸収する材質を用いてもよい。
【０１０７】
図１では、レンズ系と撮像素子５との間に各種フィルタ等を想定した光学部材ＰＰを配置した例を示しているが、この代わりに、各レンズの間にこれらの各種フィルタを配置してもよい。あるいは、撮像レンズが有するいずれかのレンズのレンズ面に、各種フィルタと同様の作用を有するコートを施してもよい。
【０１０８】
なお、各レンズ間の有効径外を通過する光束は、迷光となって像面に達し、ゴーストとなるおそれがあるため、必要に応じて、この迷光を遮光する遮光手段を設けることが好ましい。この遮光手段としては、例えばレンズの有効径外の部分に不透明な塗料を施したり、不透明な板材を設けたりしてもよい。または迷光となる光束の光路に不透明な板材を設けて遮光手段としてもよい。あるいは、最も物体側のレンズのさらに物体側に迷光を遮断するフードのようなものを配置してもよい。例えば、第１レンズＬ１と第２レンズＬ２との間、あるいは第４レンズＬ４と第５レンズＬ５との間に、有効径外を透過する光線をカットする遮光手段を設けることが好ましい。なお、遮光手段を設ける箇所はこれに限定されず、他のレンズや、レンズ間に配置してもよい。
【０１０９】
さらに、各レンズの間に周辺光量比が実用上問題のない範囲で周辺光線を遮断する絞り等の部材を配置してもよい。周辺光線とは、光軸Ｚ外の物点からの光線のうち、光学系の入射瞳の周辺部分を通る光線のことである。このように周辺光線を遮断する部材を配置することにより、結像領域周辺部の画質を向上させることができる。また、この部材でゴーストを発生させる光を遮断することにより、ゴーストを低減することが可能となる。
【０１１０】
また、レンズ系が、第１レンズＬ１、第２レンズＬ２、第３レンズＬ３、第４レンズＬ４、第５レンズＬ５および第６レンズＬ６の６枚のみからなるように構成することが好ましい。レンズ系を６枚のレンズのみで構成することで、レンズ系を安価にすることが可能となる。
【０１１１】
本実施形態に係る撮像装置は、本実施形態に係る撮像レンズを備えているため、小型で安価に構成でき、十分広い画角を有し、撮像素子を用いて解像度の高い良好な像を得ることができる。
【０１１２】
なお、第１から第３の実施形態に係る撮像レンズを備えた撮像装置で撮影した画像を携帯電話（スマートフォンを含む）に表示するようにしてもよい。例えば本実施形態の撮像レンズを備えた撮影装置を車載カメラとして自動車に搭載し、自動車の背後や周辺を車載カメラにより撮影し、撮影により取得した画像を表示装置に表示する場合がある。このような場合、カーナビゲーションシステム（以下カーナビとする）が搭載されている自動車においては、撮影した画像はカーナビの表示装置に表示すればよいが、カーナビが搭載されていない場合、液晶ディスプレイ等の専用の表示装置を自動車に設置する必要がある。しかしながら、表示装置は高価である。一方、近年の携帯電話は、動画やＷｅｂの閲覧が可能になる等、高性能な表示装置が搭載されている。携帯電話を車載カメラ用の表示装置として用いることで、カーナビが搭載されていない自動車に関しても、専用の表示装置を搭載する必要がなくなり、その結果、安価に車載カメラを搭載することが可能となる。
【０１１３】
ここで、車載カメラが撮影した画像は、ケーブル等を用いて有線にて携帯電話に送信してもよく、赤外線通信等の無線により携帯電話に送信してもよい。また、携帯電話等と自動車の作動状態とを連動させ、自動車のギアがバックに入ったり、ウインカー等を出したりした際に、自動で携帯電話の表示装置に車載カメラの画像を表示するようにしてもよい。
【０１１４】
なお、車載カメラの画像を表示する表示装置としては、携帯電話のみならず、ＰＤＡ等の携帯情報端末でもよく、小型のパソコンでもよく、あるいは持ち歩き可能な小型のカーナビでもよい。
【０１１５】
また、本発明の撮像レンズを搭載した携帯電話を自動車に固定することで、車載カメラとして使用してもよい。近年のスマートホンはＰＣ並の処理能力を備えているため、例えば携帯電話を自動車のダッシュボード等に固定し、カメラを前方に向けることで、携帯電話のカメラを車載カメラと同様に用いることが可能となる。なお、スマートホンのアプリケーションとして、白線や道路標識を認識し、警告を行う機能を備えていてもよい。また、運転手にカメラを向け、居眠りや脇見の際に警告を行うシステムとしてもよい。また、自動車と連動し、ハンドルを操作するシステムの一部としてもよい。自動車は高温環境や低温環境に放置されるため、車載カメラは厳しい耐環境性が要求される。本発明の撮像レンズを携帯電話に搭載した場合、運転時以外は携帯電話は運転手とともに車外に出てしまうため、撮像レンズの耐環境性をゆるめることが可能となり、安価に車載システムを導入することが可能となる。
【０１１６】
〔撮像レンズの数値実施例〕
次に、本発明の撮像レンズの数値実施例について説明する。実施例１〜実施例６の撮像レンズのレンズ断面図をそれぞれ図２〜図７に示す。図２〜図７において、図の左側が物体側、右側が像側であり、図１と同様、開口絞りＳｔ、光学部材ＰＰ、像面Ｓｉｍに配置された撮像素子５も併せて図示している。各図の開口絞りＳｔは形状や大きさを表すものではなく、光軸Ｚ上の位置を示すものである。各実施例において、レンズ断面図の符号Ｒｉ、Ｄｉ（ｉ＝１、２、３、…）は以下に説明するレンズデータのＲｉ、Ｄｉと対応している。
【０１１７】
表１〜表６にそれぞれ実施例１〜実施例６の撮像レンズのレンズデータを示す。各表の（Ａ）には基本レンズデータを、（Ｂ）には各種データを、非球面形状を含むものについては（Ｃ）に非球面データを示している。
【０１１８】
基本レンズデータにおいて、Ｓｉの欄は最も物体側の構成要素の物体側の面を１番目として像側に向かうに従い順次増加するｉ番目（ｉ＝１、２、３、…）の面番号を示し、Ｒｉの欄はｉ番目の面の曲率半径を示し、Ｄｉの欄はｉ番目の面とｉ＋１番目の面との光軸Ｚ上の面間隔を示している。なお、曲率半径の符号は、面形状が物体側に凸の場合を正、像側に凸の場合を負としている。また、Ｎｄｊの欄は最も物体側のレンズを１番目として像側に向かうに従い順次増加するｊ番目（ｊ＝１、２、３、…）の光学要素のｄ線（波長５８７．６ｎｍ）に対する屈折率を示し、νｄｊの欄はｊ番目の光学要素のｄ線に対するアッベ数を示している。なお、基本レンズデータには、開口絞りＳｔおよび光学部材ＰＰも含めて示しており、開口絞りＳｔに相当する面の面番号の欄には、（Ｓｔ）という語句を併せて記載している。また、撮像面はＩＭＧと記載している。
【０１１９】
基本レンズデータでは、非球面の面番号に＊印を付しており、非球面の曲率半径として近軸曲率半径（中心の曲率半径）の数値を示している。非球面データには、非球面の面番号と、各非球面に関する非球面係数を示す。非球面データの数値の「Ｅ−ｎ」（ｎ：整数）は「×１０−ｎ」を意味し、「Ｅ＋ｎ」は「×１０ｎ」を意味する。なお、非球面係数は、以下の式で表される非球面式における各係数ＫＡ、ＲＢｍ（ｍ＝３、４、５、…２０）の値である。
【０１２０】
Ｚｄ＝Ｃ・ｈ２／｛１＋（１−ＫＡ・Ｃ２・ｈ２）１／２｝＋ΣＲＢｍ・ｈｍ
ただし、
Ｚｄ：非球面深さ（高さｈの非球面上の点から、非球面頂点が接する光軸に垂直な平面に下ろした垂線の長さ）
ｈ：高さ（光軸からのレンズ面までの距離）
Ｃ：近軸曲率半径の逆数
ＫＡ、ＲＢｍ：非球面係数（ｍ＝３、４、５、…２０）
各種データにおいて、Ｌ（ｉｎ  Ａｉｒ）は第１レンズＬ１の物体側の面から像面Ｓｉｍまでの光軸Ｚ上の距離（バックフォーカス分は空気換算長）、Ｂｆ（ｉｎ  Ａｉｒ）は最も像側のレンズの像側の面から像面Ｓｉｍまでの光軸Ｚ上の距離（バックフォーカスに相当、空気換算長）、ｆは全系の焦点距離、ｆ２は第２レンズＬ２の焦点距離、ｆ３は第３レンズＬ３の焦点距離、ｆ４は第４レンズＬ４の焦点距離、ｆ３４は第３レンズＬ３と第４レンズＬ４との合成焦点距離、ｆ４５は第４レンズＬ４と第５レンズＬ５との合成焦点距離、ｆ５６は第５レンズＬ５と第６レンズＬ６との合成焦点距離である。
【０１２１】
また、表７に各実施例の条件式（１）〜（１２）に対応する値を一括して示す。なお、条件式（１）は（Ｒ３Ｆ＋Ｒ３Ｒ）／（Ｒ３Ｆ−Ｒ３Ｒ）、条件式（２）はνｄ３、条件式（３）はｆ３／ｆ、条件式（４）はｆ２／ｆ、条件式（５）はｆ４／ｆ、条件式（６）はνｄ４／νｄ５、条件式（７）はｆ３４／ｆ、条件式（８）はνｄ１／νｄ２、条件式（９）はＬ／ｆ、条件式（１０）はＢｆ／ｆ、条件式（１１）はｆ４５／ｆ、条件式（１２）はｆ５６／ｆである。
【０１２２】
ただし、
Ｒ３Ｆ：第３レンズＬ３の物体側の面の曲率半径
Ｒ３Ｒ：第３レンズＬ３の像側の面の曲率半径
ｆ２：第２レンズＬ２の焦点距離
ｆ４：第４レンズＬ４の焦点距離
ｆ３４：第３レンズＬ３および第４レンズＬ４の合成焦点距離
ｆ４５：第４レンズＬ４および第５レンズＬ５の合成焦点距離
ｆ５６：第５レンズＬ５および第６レンズＬ６の合成焦点距離
ｆ：全系の焦点距離
νｄ１：第１レンズＬ１の材質のｄ線に対するアッベ数
νｄ２：第２レンズＬ２の材質のｄ線に対するアッベ数
νｄ３：第３レンズＬ３の材質のｄ線に対するアッベ数
νｄ４：第４レンズＬ４の材質のｄ線に対するアッベ数
νｄ５：第５レンズＬ５の材質のｄ線に対するアッベ数
Ｌ：第１レンズＬ１の物体側の面から像面までの距離
Ｂｆ：最も像側のレンズの像側の面から撮像素子までの距離（バックフォーカス）
各数値の単位として、長さについては「ｍｍ」を用いているが、これは一例であり、光学系は比例拡大または比例縮小しても使用可能なため、他の適当な単位を用いることもできる。
【表１】
0005869727.tif 000002
【表２】
0005869727.tif 000003
【表３】
0005869727.tif 000004
【表４】
0005869727.tif 000005
【表５】
0005869727.tif 000006
【表６】
0005869727.tif 000007
【表７】
0005869727.tif 000008
【０１２３】
上記実施例１〜６の撮像レンズにおいて、レンズの材質はガラスとなっている。表１〜表６においてはレンズの材質名を記載しているが、同様の特性を持つ他の材質を使用してもよい。レンズの材質として、ＨＯＹＡ社のＴＡＦＤ２５を記載しているが、同等の性質を持つ他社材質を用いてもよい。例えば、オハラ社Ｌ−ＬＡＨ８６、成都光明社Ｈ−ＺＬＡＦ７５Ａ等を使用してもよい。
【０１２４】
また、レンズの材質として、オハラ社Ｓ−ＮＰＨ２を記載しているが、例えば成都光明社Ｈ−ＺＦ７２Ａ等を使用してもよい。
【０１２５】
また、レンズの材質として、オハラ社Ｓ−ＬＡＨ５８を記載しているが、ＨＯＹＡ社ＴＡＦＤ３０、住田社Ｋ−ＬＡＳＦＮ１７、成都光明社Ｈ−ＺＬＡＦ６８等を使用してもよい。
【０１２６】
また、レンズの材質として、オハラ社Ｓ−ＬＡＨ６６を記載しているが、ＨＯＹＡ社ＴＡＦ１、住田社Ｋ−ＬＡＦＫ５０、成都光明社Ｈ−ＬＡＦ５０Ｂ等を使用してもよい。
【０１２７】
また、レンズの材質として、オハラ社Ｓ−ＰＨＭ５２を記載しているが、ＨＯＹＡ社ＰＣＤ４、住田社Ｋ−ＰＳＫＮ２、成都光明社Ｈ−ＺＰＫ１等を使用してもよい。
【０１２８】
また、レンズの材質として、オハラ社Ｌ−ＬＡＨ５３を記載しているが、ＨＯＹＡ社ＮＢＦＤ１３、Ｍ−ＮＢＦＤ１３０、住田社Ｋ−ＬＡＳＦＮ１、成都光明社Ｈ−ＺＬＡＦ５２等を使用してもよい。
【０１２９】
また、レンズの材質として、オハラ社Ｓ−ＹＧＨ５１を記載しているが、ＨＯＹＡ社ＴＡＣ６、住田社Ｋ−ＬＡＳＫＮ１、成都公明社Ｈ−ＬＡＫ５３Ａ等を使用してもよい。
【０１３０】
実施例１〜６においては、は第１レンズＬ１から第６レンズＬ６の材質をすべてガラスとしているが、プラスチックを用いてもよい。この場合には各レンズを安価に作成することが可能となる。
【０１３１】
［収差性能］
上記実施例１〜６に係る撮像レンズの各収差図をそれぞれ、図８〜図１３の（Ａ）〜（Ｄ）に示す。
【０１３２】
ここでは、実施例１の収差図を例にとり説明するが、他の実施例の収差図についても同様である。図８（Ａ）、図８（Ｂ）、図８（Ｃ）および図８（Ｄ）はそれぞれ、実施例１に係る撮像レンズの球面収差、非点収差、ディストーション（歪曲収差）および倍率色収差（倍率の色収差）の収差図を示す。球面収差図のＦはＦ値を意味し、その他の収差図のωは半画角を意味する。ディストーションの図は、全系の焦点距離ｆ、画角φ（変数扱い、０≦φ≦ω）を用いて、理想像高をｆ×ｔａｎ（φ）とし、それからのズレ量を示す。各収差図には、ｄ線（波長５８７．５６ｎｍ）を基準波長とした収差を示すが、球面収差図には、Ｆ線（波長４８６．１３ｎｍ）、Ｃ線（波長６５６．２７ｎｍ）、ｓ線（波長８５２．１１ｎｍ）および正弦条件違反量（ＳＮＣと表記）についての収差も示し、倍率色収差図にはＦ線、Ｃ線およびｓ線についての収差を示す。倍率色収差図の線種は球面収差図のものと同じであるため、その表記を省略している。
【０１３３】
以上のデータから分かるように、実施例１〜６の撮像レンズは、６枚という少ないレンズ枚数で構成され、小型で安価に作製可能である上、Ｆ値が１．８〜２．０と小さく、各収差が良好に補正されて良好な光学性能を有する。これらの撮像レンズは、監視カメラや、自動車の前方、側方、後方等の映像を撮影するための車載用カメラ等に好適に使用可能である。
【０１３４】
〔撮像装置の実施形態〕
図１４に使用例として、自動車１００に本実施形態の撮像レンズを備えた撮像装置を搭載した様子を示す。図１４において、自動車１００は、その助手席側の側面の死角範囲を撮像するための車外カメラ１０１と、自動車１００の後側の死角範囲を撮像するための車外カメラ１０２と、ルームミラーの背面に取り付けられ、ドライバーと同じ視野範囲を撮影するための車内カメラ１０３とを備えている。車外カメラ１０１と車外カメラ１０２と車内カメラ１０３とは、本発明の実施形態に係る撮像装置であり、本発明の実施例の撮像レンズと、この撮像レンズにより形成される光学像を電気信号に変換する撮像素子とを備えている。
【０１３５】
本発明の実施例に係る撮像レンズは、上述した長所を有するものであるから、車外カメラ１０１、１０２および車内カメラ１０３も小型で安価に構成でき、広い画角を有し、結像領域周辺部まで良好な映像を得ることができる。
【０１３６】
以上、実施形態および実施例を挙げて本発明を説明したが、本発明は上記実施形態および実施例に限定されず、種々の変形が可能である。例えば、各レンズ成分の曲率半径、面間隔、屈折率およびアッベ数の値は、上記各数値実施例で示した値に限定されず、他の値をとり得るものである。
【０１３７】
なお、上記した実施例ではすべてのレンズを均質な材料により構成しているが、屈折率分布型のレンズを用いてもよい。また、上記した実施例では第２レンズＬ２および第４レンズＬ４を非球面が施された屈折型レンズにより構成しているものがあるが、１つの面もしくは複数の面に回折光学素子を形成してもよい。
【０１３８】
また、撮像装置の実施形態では、本発明を車載用カメラに適用した例について図を示して説明したが、本発明はこの用途に限定されるものではなく、例えば、携帯端末用カメラや監視カメラ等にも適用可能である。
【図１】
0005869727.tif 000009
【図２】
0005869727.tif 000010
【図３】
0005869727.tif 000011
【図４】
0005869727.tif 000012
【図５】
0005869727.tif 000013
【図６】
0005869727.tif 000014
【図７】
0005869727.tif 000015
【図１４】
0005869727.tif 000016
【図８】
0005869727.tif 000017
【図９】
0005869727.tif 000018
【図１０】
0005869727.tif 000019
【図１１】
0005869727.tif 000020
【図１２】
0005869727.tif 000021
【図１３】
0005869727.tif 000022